(57)【要約】【課題】  カメラを大型化することなく照明部の近傍に位置する遮蔽物を検出することができる撮像装置を提供する。【解決手段】  撮影レンズ８を介して被写体を撮像する撮像部３８と、前記被写体を照明する照明部４０と、前記照明部の近傍に位置する遮蔽物を検出する検出部１６と、前記検出部により前記遮蔽物を検出した場合に警告を行う警告部４４とを備える。【選択図】  図２
2010271571.tif 000002
【特許請求の範囲】
【請求項１】
撮影レンズを介して被写体を撮像する撮像部と、
前記被写体を照明する照明部と、
前記照明部の近傍に位置する遮蔽物を検出する検出部と、
前記検出部により前記遮蔽物を検出した場合に警告を行う警告部と
を備えることを特徴とする撮像装置。
【請求項２】
前記検出部は、前記照明部に近接して設けられた発光ダイオードを備え、
前記発光ダイオードからの光が照射された前記被写体の輝度を前記撮像部により検出した結果に基づいて、前記遮蔽物の有無を検出することを特徴とする請求項１記載の撮像装置。
【請求項３】
前記発光ダイオードは、前記撮影レンズとは反対側の前記照明部に近接して設けられていることを特徴とする請求項２記載の撮像装置。
【請求項４】
前記発光ダイオードは、オートフォーカス補助光用であることを特徴とする請求項２または３記載の撮像装置。
【請求項５】
前記検出部は、前記照明部に近接して設けられた赤外線センサを備え、
前記赤外線センサの検出結果に基づいて、前記遮蔽物の有無を検出することを特徴とする請求項１記載の撮像装置。
【請求項６】
前記赤外線線センサは、前記撮影レンズとは反対側の前記照明部に近接して設けられていることを特徴とする請求項５記載の撮像装置。
【発明の詳細な説明】
【技術分野】
【０００１】
本発明は、撮像装置に関するものである。
【背景技術】
【０００２】
ストロボの照射面に指がかかっていない場合には撮像を行い、指がかかったときに操作者に警告を発して撮像の失敗を防止するカメラが存在する（例えば、特許文献１参照）。このカメラにおいては、ストロボの照射面に指がかかったときに、照明部が光軸方向にスライドして照射面が押圧されたことを検出スイッチで検知し、操作者に警告を発している。
【先行技術文献】
【特許文献】
【０００３】
【特許文献１】特開２００７−１１４２６８号公報
【発明の概要】
【発明が解決しようとする課題】
【０００４】
しかし、このカメラにおいては、照明部が光軸方向にスライドして照射面が押圧されたことを検出スイッチで検知するため、照明部がスライドするストロークと検出スイッチのスペースが必要となり、カメラの小型化が困難であった。
【０００５】
本発明の目的は、カメラを大型化することなく照明部の近傍に位置する遮蔽物を検出することができる撮像装置を提供することである。
【課題を解決するための手段】
【０００６】
本発明の撮像装置は、撮影レンズを介して被写体を撮像する撮像部と、前記被写体を照明する照明部と、前記照明部の近傍に位置する遮蔽物を検出する検出部と、前記検出部により前記遮蔽物を検出した場合に警告を行う警告部とを備えることを特徴とする。
【発明の効果】
【０００７】
本発明の撮像装置によれば、カメラを大型化することなく照明部の近傍に位置する遮蔽物を検出することができる。
【図面の簡単な説明】
【０００８】
【図１】本発明の実施の形態に係る電子カメラの正面図である。
【図２】本発明の実施の形態に係る電子カメラのシステム構成を示すブロック図である。
【図３】本発明の実施の形態に係る電子カメラにおける被写体の撮像処理を示すフローチャートである。
【図４】本発明の実施の形態に係る電子カメラにおけるＡＦ補助光の発光の状態を示す図である。
【図５】本発明の実施の形態に係る電子カメラにおけるＡＦ補助光が遮蔽された状態を示す図である。
【図６】本発明の実施の形態に係る電子カメラにおける被写体の他の撮像処理を示すフローチャートである。
【発明を実施するための形態】
【０００９】
以下、図面を参照して本発明の実施の形態に係る撮像装置について電子カメラを例に説明する。図１は、実施の形態に係る電子カメラの正面図である。図１に示すように、電子カメラ２の筐体４の前カバー６には、被写体からの光をカメラ内部に導く撮影レンズ８、被写体を照明する光を射出するフラッシュ窓１０、撮影レンズ８とは反対側のフラッシュ窓１０の近傍に、フラッシュ窓１０に近接して位置し、ＬＥＤにより構成されるオートフォーカス補助光用ＬＥＤ（以下、ＡＦ補助光用ＬＥＤ）１６が設けられている。また、筐体４の上面には、レリーズ指示を行うレリーズボタン１８が設けられている。また、装置本体４の背面には、観賞用画像や時刻等の情報を電気的に表示する表示部としてのＬＣＤ表示部５２（図２参照）、音楽や警告音が出力されるスピーカ５６（図２参照）、電子カメラ２の機能設定やＬＣＤ表示部５２の表示設定の際に使用する操作キー（図示せず）が設けられている。
【００１０】
図２は、実施の形態に係る電子カメラ２のシステム構成を示すブロック図である。図２に示すように、電子カメラ２はＣＰＵ３０を備えている。ＣＰＵ３０には、レリーズボタン１８、及び図示しない操作キー等を含む操作部３２、ＬＣＤ表示部５２の表示制御を行う表示制御部３４、撮影レンズ８を介して被写体を撮像して撮像信号（蓄積電荷としてのアナログ信号）を生成するＣＣＤ或いはＣＭＯＳ等により構成される撮像素子３８、被写体に対して照明光を照射するフラッシュ４０、ＡＦ補助光用ＬＥＤ１６、スピーカ４４、撮像素子３８から出力された撮像信号を図示しないＡ／Ｄ変換部においてＡ／Ｄ変換することにより生成された画像データを記憶するバッファメモリ４６、バッファメモリ４６に記憶されている画像データに、ホワイトバランス調整、輪郭補償等の画像処理を行う撮像画像処理部４８、撮像画像等を記憶するメモリカード５０が接続されている。
【００１１】
次に、図３に示すフローチャートを参照して、実施の形態に係る電子カメラ２における被写体の撮像処理について説明する。まず、ＣＰＵ３０は、操作者によりレリーズ釦１８が半押しされたことを確認すると（ステップＳ１０）、オートフォーカス（以下、ＡＦ）と自動露出（以下、ＡＥ）を実行し、露光条件の設定を行う（ステップＳ１１）。
【００１２】
そして、ＣＰＵ３０は撮像素子３８により計測した被写体の輝度が所定の値以下であるか否かを判別し、撮像時のフラッシュ４０による照明の要否を判断する（ステップＳ１２）。ここで、撮像時のフラッシュ４０による照明が必要と判断された場合には（ステップＳ１２、Ｙｅｓ）、図４に示すように、被写体６０に対してＡＦ補助光用ＬＥＤ１６からの光を照射する（ステップＳ１３）。そして、撮像素子３８により被写体の輝度を計測し、フラッシュ４０の近傍に位置する遮蔽物の有無を認識する。ここで、ＡＦ補助光用ＬＥＤ１６により被写体に照射される光について、遮蔽物により遮られない場合には、正常に光が照射されるが、図５に示すように、フラッシュ４０の近傍に操作者の指等の遮蔽物６２がある場合には、正常に被写体に照射されない。即ち、撮像素子３８の測光状態差により遮蔽物の有無を認識する（ステップＳ１４）。遮蔽物があると認識された場合には（ステップＳ１４、Ｙｅｓ）、レリーズが禁止され（ステップＳ１５）、スピーカ５６から警告音を発し（ステップＳ１６）、ステップＳ１４〜Ｓ１６の処理を繰り返す。一方、ステップＳ１４において遮蔽物がないと認識された場合には（ステップＳ１４、Ｎｏ）、操作者によりレリーズ釦１８が全押しされたことを認識すると（ステップＳ１７）、フラッシュ４０を発光して、撮像素子３８により被写体を撮像する（ステップＳ１８）。
【００１３】
一方、ステップＳ１２において撮像時のフラッシュ４０の発光は不要と判断された場合には（ステップＳ１２、Ｎｏ）、操作者によりレリーズ釦１８が全押しされたことを認識すると（ステップＳ１９）、フラッシュ４０を発光せず、被写体を撮像素子３８により撮像する（ステップＳ２０）。そして、撮像素子３８により撮像された画像はバッファメモリ４６若しくはメモリカード５０に記憶される（ステップＳ２１）。
【００１４】
この実施の形態に係る電子カメラによれば、電子カメラに既存の撮像素子とＡＦ補助光用ＬＥＤを用いて遮蔽物の検出が可能であるため、カメラを大型化することなく、フラッシュの近傍に位置する遮蔽物を検出することができる。
【００１５】
なお、上述の実施の形態においては、フラッシュ４０の近傍に遮蔽物があると認識された場合には、スピーカ５６から警告音が発せられるが、警告と同時にＬＣＤ表示部５２に「フラッシュの付近に遮蔽物があります」等の警告メッセージを表示してもよい。
【００１６】
また、上述の実施の形態においては、フラッシュ４０の近傍に位置する遮蔽物の有無を認識するために、撮像素子３８とＡＦ補助光用ＬＥＤ１６を用いているが、赤外線センサを用いて遮蔽物の有無を判断してもよい。即ち、フラッシュ窓１０に近傍して赤外線センサを設け、赤外線センサによりフラッシュ４０の近傍に位置する遮蔽物の温度を検知して、検知された結果に基づいて遮蔽物の有無を判断する。赤外線センサは物体の温度を検知しているので、周りが暗い状況下においても高精度で遮蔽物を検知することが可能である。
【００１７】
また、上述の実施の形態においては、フラッシュ４０の近傍に遮蔽物があると認識され場合には、ＣＰＵ３０によりレリーズが禁止されるが、レリーズを許可してもよい。ここで、図６に示すフローチャートを参照して、フラッシュ４０の近傍に遮蔽物があると認識され場合においてレリーズを許可し、レリーズ釦１８が全押しされた場合の処理について説明する。操作者によりレリーズ釦１８が全押しされたことを認識すると（ステップＳ３０）、フラッシュ４０を発光して、被写体を撮像素子３８により撮像する（ステップＳ３１）。そして、撮像素子３８から出力された撮像信号に基づく画像データをバッファメモリ４６に記憶する（ステップＳ３２）。そして、記憶された画像に対して、遮蔽物がないと認識された場合に撮像された被写体の画像の明るさに基づいて、補正の要否の判別が行われる（ステップＳ３３）。補正が必要であると判断された場合には（ステップＳ３３、Ｙｅｓ）、撮像画像処理部４８により遮蔽物がない場合の被写体の明るさに基づいて、バッファメモリ４６に記憶されている画像データに対して補正が行われる（ステップＳ３４）。そして、撮像画像処理部４８により補正された画像データをメモリカード５０に記憶する（ステップＳ３５）。なお、ステップＳ３３において、補正が不要であると判断された場合には（ステップＳ３３、Ｎｏ）、記憶された画像データに対して補正は行わずメモリカード５０に記憶する（ステップＳ３５）。
【産業上の利用可能性】
【００１８】
本発明は、電子カメラ等の撮像装置に利用することができる。
【符号の説明】
【００１９】
２…電子カメラ、４…筐体、８…撮影レンズ、１６…ＡＦ補助光用ＬＥＤ、１８…レリーズ釦、３０…ＣＰＵ、３２…操作部、３８…撮像素子、４０…フラッシュ、４４…スピーカ。
【図１】
2010271571.tif 000003
【図２】
2010271571.tif 000004
【図３】
2010271571.tif 000005
【図４】
2010271571.tif 000006
【図５】
2010271571.tif 000007
【図６】
2010271571.tif 000008